(57)【要約】【課題】ユーザが入力している情報を背後から第三者により盗み見られる可能性が低く且つ複数のユーザが正当なユーザとして認証されることが可能な認証装置を提供すること。【解決手段】この装置１０は、被写体を撮像することにより当該被写体が発する光に応じた画像情報を生成する（２６）。装置１０は、生成された画像情報に基づいて、顔のうちの開閉動作が可能な部位（開閉動作可能部位）の状態を表す特徴量を入力特徴量として抽出する（２７）。装置１０は、特徴量の基準値である基準特徴量を予め記憶する（２３）。装置１０は、抽出された入力特徴量と、記憶された基準特徴量と、が対応しているか否かを判定し、入力特徴量と基準特徴量とが対応していると判定した場合に認証が成功した旨を表す認証成功情報を出力し、入力特徴量と基準特徴量とが対応していないと判定した場合に認証が失敗した旨を表す認証失敗情報を出力する（２５）。【選択図】図７
2010015352.tif 000002
【特許請求の範囲】
【請求項１】
被写体を撮像することにより当該被写体が発する光に応じた画像情報を生成する撮像手段と、
前記生成された画像情報に基づいて、顔のうちの開閉動作が可能な部位である開閉動作可能部位の状態を表す特徴量を入力特徴量として抽出する特徴量抽出手段と、
前記開閉動作可能部位の状態を表す特徴量の基準値である基準特徴量を予め記憶する基準特徴量記憶手段と、
前記抽出された入力特徴量と、前記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を備える認証装置。
【請求項２】
請求項１に記載の認証装置であって、
ユーザにより入力され且つ文字列を表すパスワード情報を入力パスワード情報として受け付けるパスワード受付手段と、
パスワード情報を基準パスワード情報として予め記憶するパスワード記憶手段と、
を備え、
前記認証手段は、前記受け付けられた入力パスワード情報と、前記記憶された基準パスワード情報と、が対応しているか否かを判定し、前記入力特徴量と前記基準特徴量とが対応していると判定し且つ当該入力パスワード情報と当該基準パスワード情報とが対応していると判定した場合に前記認証成功情報を出力するように構成された認証装置。
【請求項３】
請求項２に記載の認証装置であって、
前記パスワード受付手段は、前記入力パスワード情報の入力が完了した旨を表す入力完了情報を受け付けるように構成され、
前記撮像手段は、前記パスワード受付手段が前記入力完了情報を受け付けた時に前記撮像の実行を開始するように構成された認証装置。
【請求項４】
請求項２又は請求項３に記載の認証装置であって、
前記基準特徴量記憶手段は、複数の基準特徴量を記憶し、
前記撮像手段は、前記パスワード受付手段が１つの文字を表す情報を受け付ける毎に前記撮像を実行するように構成され、
前記認証手段は、前記撮像手段により前記撮像が実行される毎に、前記入力特徴量と前記記憶された複数の基準特徴量の１つとが対応しているか否かを判定し、すべての入力特徴量に対して、当該入力特徴量と当該基準特徴量とが対応していると判定した場合に前記認証成功情報を出力するように構成された認証装置。
【請求項５】
請求項１乃至請求項４のいずれか一項に記載の認証装置であって、
前記基準特徴量記憶手段は、複数の基準特徴量を記憶し、
ユーザにより入力され且つ前記記憶されている複数の基準特徴量のうちの１つを表す選択情報を受け付ける選択情報受付手段を備え、
前記認証手段は、前記記憶された複数の基準特徴量のうちの前記受け付けられた選択情報が表す基準特徴量と、前記入力特徴量と、が対応しているか否かを判定するように構成された認証装置。
【請求項６】
請求項１乃至請求項５のいずれか一項に記載の認証装置であって、
前記特徴量は、前記開閉動作可能部位の状態のうちの、口が開いている状態と口が閉じている状態とのいずれかの状態を表す量である認証装置。
【請求項７】
請求項１乃至請求項６のいずれか一項に記載の認証装置であって、
前記特徴量は、前記開閉動作可能部位の状態のうちの、口が大きく開いている状態と口が小さく開いている状態とのいずれかの状態を表す量である認証装置。
【請求項８】
請求項１乃至請求項７のいずれか一項に記載の認証装置であって、
前記特徴量は、前記開閉動作可能部位の状態のうちの、歯が見える状態と歯が見えない状態とのいずれかの状態を表す量である認証装置。
【請求項９】
被写体を撮像することにより当該被写体が発する光に応じた画像情報を生成する撮像手段と、
前記生成された画像情報に基づいて、顔のうちの開閉動作が可能な部位である開閉動作可能部位の状態を表す特徴量を入力特徴量として抽出する特徴量抽出手段と、
前記開閉動作可能部位の状態を表す特徴量の基準値である基準特徴量を予め記憶する基準特徴量記憶手段と、
前記抽出された入力特徴量と、前記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を備える携帯電話装置。
【請求項１０】
請求項９に記載の携帯電話装置であって、
ユーザにより入力され且つ文字列を表すパスワード情報を入力パスワード情報として受け付けるパスワード受付手段と、
パスワード情報を基準パスワード情報として予め記憶するパスワード記憶手段と、
を備え、
前記認証手段は、前記受け付けられた入力パスワード情報と、前記記憶された基準パスワード情報と、が対応しているか否かを判定し、前記入力特徴量と前記基準特徴量とが対応していると判定し且つ当該入力パスワード情報と当該基準パスワード情報とが対応していると判定した場合に前記認証成功情報を出力するように構成された携帯電話装置。
【請求項１１】
請求項１０に記載の携帯電話装置であって、
前記パスワード受付手段は、前記入力パスワード情報の入力が完了した旨を表す入力完了情報を受け付けるように構成され、
前記撮像手段は、前記パスワード受付手段が前記入力完了情報を受け付けた時に前記撮像の実行を開始するように構成された携帯電話装置。
【請求項１２】
記憶装置を備える認証装置に、
被写体を撮像することにより当該被写体が発する光に応じた画像情報を生成する撮像手段と、
前記生成された画像情報に基づいて、顔のうちの開閉動作が可能な部位である開閉動作可能部位の状態を表す特徴量を入力特徴量として抽出する特徴量抽出手段と、
前記開閉動作可能部位の状態を表す特徴量の基準値である基準特徴量を前記記憶装置に予め記憶させる基準特徴量記憶処理手段と、
前記抽出された入力特徴量と、前記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を実現させるための認証プログラム。
【請求項１３】
請求項１２に記載の認証プログラムであって、
更に、前記認証装置に、
ユーザにより入力され且つ文字列を表すパスワード情報を入力パスワード情報として受け付けるパスワード受付手段と、
パスワード情報を基準パスワード情報として前記記憶装置に予め記憶させるパスワード記憶処理手段と、
を実現させるとともに、
前記認証手段は、前記受け付けられた入力パスワード情報と、前記記憶された基準パスワード情報と、が対応しているか否かを判定し、前記入力特徴量と前記基準特徴量とが対応していると判定し且つ当該入力パスワード情報と当該基準パスワード情報とが対応していると判定した場合に前記認証成功情報を出力するように構成された認証プログラム。
【請求項１４】
請求項１３に記載の認証プログラムであって、
前記パスワード受付手段は、前記入力パスワード情報の入力が完了した旨を表す入力完了情報を受け付けるように構成され、
前記撮像手段は、前記パスワード受付手段が前記入力完了情報を受け付けた時に前記撮像の実行を開始するように構成された認証プログラム。
【請求項１５】
被写体を撮像することにより当該被写体が発する光に応じた画像情報を生成する撮像工程と、
前記生成された画像情報に基づいて、顔のうちの開閉動作が可能な部位である開閉動作可能部位の状態を表す特徴量を入力特徴量として抽出する特徴量抽出工程と、
前記開閉動作可能部位の状態を表す特徴量の基準値である基準特徴量を記憶装置に予め記憶させる基準特徴量記憶処理工程と、
前記抽出された入力特徴量と、前記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証工程と、
を含む認証方法。
【請求項１６】
請求項１５に記載の認証方法であって、
ユーザにより入力され且つ文字列を表すパスワード情報を入力パスワード情報として受け付けるパスワード受付工程と、
パスワード情報を基準パスワード情報として前記記憶装置に予め記憶させるパスワード記憶処理工程と、
を含み、
前記認証工程は、前記受け付けられた入力パスワード情報と、前記記憶された基準パスワード情報と、が対応しているか否かを判定し、前記入力特徴量と前記基準特徴量とが対応していると判定し且つ当該入力パスワード情報と当該基準パスワード情報とが対応していると判定した場合に前記認証成功情報を出力するように構成された認証方法。
【請求項１７】
請求項１６に記載の認証方法であって、
前記パスワード受付工程は、前記入力パスワード情報の入力が完了した旨を表す入力完了情報を受け付けるように構成され、
前記撮像工程は、前記パスワード受付工程にて前記入力完了情報が受け付けられた時に前記撮像の実行を開始するように構成された認証方法。
【発明の詳細な説明】
【技術分野】
【０００１】
本発明は、ユーザが正当なユーザであることを認証するための処理を行う認証装置に関する。
【背景技術】
【０００２】
複数の文字列を表すパスワード情報に基づいて認証処理を行う認証装置が知られている。この認証装置は、基準パスワード情報を予め記憶している。認証装置は、ユーザにより入力された入力パスワード情報を受け付ける。そして、認証装置は、受け付けた入力パスワード情報と記憶されている基準パスワード情報とが一致しているか否かを判定する。次いで、認証装置は、入力パスワード情報と基準パスワード情報とが一致していると判定した場合、認証が成功した旨を表す認証成功情報を出力する。
【０００３】
ところで、ユーザは、パスワード情報を入力している間、ディスプレイ又は入力キー（文字列に対応するボタン）を見ている。このため、ユーザが認識することなく、ユーザの背後から第三者（そのユーザと異なる者）によりディスプレイ又は入力キーが覗き見られる可能性が比較的高い。
【０００４】
そこで、特許文献１に記載の認証装置は、入力パスワード情報と基準パスワード情報とが対応していると判定するとともに、ユーザの顔を撮像し、撮像した顔を表す顔画像に基づいて認証処理を行う。具体的には、認証装置は、顔画像から特徴量を抽出し、抽出した特徴量（入力特徴量）と予め記憶された基準特徴量とが対応しているか否かを判定する。そして、認証装置は、入力特徴量と基準特徴量とが対応していると判定した場合、認証成功情報を出力する。
【０００５】
ところで、上記ユーザが入力したパスワード情報を第三者が盗み見た場合であっても、その第三者は、ユーザの顔から抽出される特徴量と同一の特徴量を有する顔を認証装置に撮像させることができない。従って、上記認証装置によれば、第三者（偽のユーザ）が正当なユーザ（真のユーザ）として不当に認証されることを防止することができる。
【特許文献１】特開２００４−８００８０号公報
【発明の開示】
【発明が解決しようとする課題】
【０００６】
ところで、顔画像に基づいて認証処理を行った場合、１人のユーザしか正当なユーザとして認証されない。従って、例えば、携帯電話機の使用の開始を許可するか否かを判定するために上記認証装置を用いる場合であって、複数のユーザが１つの携帯電話機を使用する場合には、認証装置が複数のユーザのそれぞれを正当なユーザとして認証することができないという問題があった。
【０００７】
このため、本発明の目的は、上述した課題である「ユーザが入力している情報をそのユーザの背後から第三者により盗み見られる可能性を低くしながら、複数のユーザのそれぞれを正当なユーザとして認証させることができないこと」を解決することが可能な認証装置を提供することにある。
【課題を解決するための手段】
【０００８】
かかる目的を達成するため本発明の一形態である認証装置は、
被写体を撮像することにより当該被写体が発する光に応じた画像情報を生成する撮像手段と、
上記生成された画像情報に基づいて、顔のうちの開閉動作が可能な部位である開閉動作可能部位の状態を表す特徴量を入力特徴量として抽出する特徴量抽出手段と、
上記開閉動作可能部位の状態を表す特徴量の基準値である基準特徴量を予め記憶する基準特徴量記憶手段と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を備える。
【０００９】
また、本発明の他の形態である携帯電話装置は、
被写体を撮像することにより当該被写体が発する光に応じた画像情報を生成する撮像手段と、
上記生成された画像情報に基づいて、顔のうちの開閉動作が可能な部位である開閉動作可能部位の状態を表す特徴量を入力特徴量として抽出する特徴量抽出手段と、
上記開閉動作可能部位の状態を表す特徴量の基準値である基準特徴量を予め記憶する基準特徴量記憶手段と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を備える。
【００１０】
また、本発明の他の形態である認証プログラムは、
記憶装置を備える認証装置に、
被写体を撮像することにより当該被写体が発する光に応じた画像情報を生成する撮像手段と、
上記生成された画像情報に基づいて、顔のうちの開閉動作が可能な部位である開閉動作可能部位の状態を表す特徴量を入力特徴量として抽出する特徴量抽出手段と、
上記開閉動作可能部位の状態を表す特徴量の基準値である基準特徴量を上記記憶装置に予め記憶させる基準特徴量記憶処理手段と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を実現させるためのプログラムである。
【００１１】
また、本発明の他の形態である認証方法は、
被写体を撮像することにより当該被写体が発する光に応じた画像情報を生成する撮像工程と、
上記生成された画像情報に基づいて、顔のうちの開閉動作が可能な部位である開閉動作可能部位の状態を表す特徴量を入力特徴量として抽出する特徴量抽出工程と、
上記開閉動作可能部位の状態を表す特徴量の基準値である基準特徴量を記憶装置に予め記憶させる基準特徴量記憶処理工程と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証工程と、
を含む。
【発明の効果】
【００１２】
本発明は、以上のように構成されることにより、ユーザが入力している情報をそのユーザの背後から第三者により盗み見られる可能性を低くすることができ、且つ、複数のユーザのそれぞれが正当なユーザとして認証されることができる。
【発明を実施するための最良の形態】
【００１３】
本発明の一形態である認証装置は、
被写体を撮像することにより当該被写体が発する光に応じた画像情報を生成する撮像手段と、
上記生成された画像情報に基づいて、顔のうちの開閉動作が可能な部位である開閉動作可能部位の状態を表す特徴量を入力特徴量として抽出する特徴量抽出手段と、
上記開閉動作可能部位の状態を表す特徴量の基準値である基準特徴量を予め記憶する基準特徴量記憶手段と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を備える。
【００１４】
これによれば、認証装置は、ユーザが、ユーザの顔のうちの開閉動作可能部位の状態（例えば、口又は目の開閉状態等）を、予め記憶されている基準特徴量に対応する状態に維持している場合に撮像を行ったとき、認証成功情報を出力する。一方、認証装置は、ユーザが、ユーザの開閉動作可能部位の状態を、予め記憶されている基準特徴量に対応する状態に維持していない場合に撮像を行ったとき、認証失敗情報を出力する。
【００１５】
ところで、ユーザの背後からユーザの開閉動作可能部位の状態を見ることはできない。即ち、上記認証装置によれば、ユーザが入力している情報、即ち、ユーザの開閉動作可能部位の状態を、そのユーザの背後から第三者により盗み見られる可能性を低くすることができる。
【００１６】
また、上記認証装置によれば、複数のユーザのそれぞれが、開閉動作可能部位の状態を基準特徴量に対応する状態に維持することにより、認証装置は、複数のユーザのそれぞれを正当なユーザとして認証することができる。
【００１７】
このように、上記認証装置によれば、ユーザが入力している情報をそのユーザの背後から第三者により盗み見られる可能性を低くすることができ、且つ、複数のユーザのそれぞれが正当なユーザとして認証されることができる。
【００１８】
この場合、上記認証装置は、
ユーザにより入力され且つ文字列を表すパスワード情報を入力パスワード情報として受け付けるパスワード受付手段と、
パスワード情報を基準パスワード情報として予め記憶するパスワード記憶手段と、
を備え、
上記認証手段は、上記受け付けられた入力パスワード情報と、上記記憶された基準パスワード情報と、が対応しているか否かを判定し、上記入力特徴量と上記基準特徴量とが対応していると判定し且つ当該入力パスワード情報と当該基準パスワード情報とが対応していると判定した場合に上記認証成功情報を出力するように構成されることが好適である。
【００１９】
これによれば、認証装置は、ユーザの開閉動作可能部位の状態が基準特徴量に対応する状態に維持され、且つ、基準パスワード情報に対応する入力パスワード情報が入力された場合に、認証成功情報を出力する。これにより、第三者が正当なユーザとして不当に認証される可能性を低減することができる。
【００２０】
この場合、
上記パスワード受付手段は、上記入力パスワード情報の入力が完了した旨を表す入力完了情報を受け付けるように構成され、
上記撮像手段は、上記パスワード受付手段が上記入力完了情報を受け付けた時に上記撮像の実行を開始するように構成されることが好適である。
【００２１】
これによれば、ユーザが入力完了情報を入力することにより、認証装置は、撮像の実行を開始する。従って、ユーザは、認証装置に撮像の実行を開始させるために、入力完了情報を入力する操作以外の操作を行うことなく、認証装置に撮像を実行させることができる。即ち、ユーザの手間を軽減することができる。
【００２２】
この場合、
上記基準特徴量記憶手段は、複数の基準特徴量を記憶し、
上記撮像手段は、上記パスワード受付手段が１つの文字を表す情報を受け付ける毎に上記撮像を実行するように構成され、
上記認証手段は、上記撮像手段により上記撮像が実行される毎に、上記入力特徴量と上記記憶された複数の基準特徴量の１つとが対応しているか否かを判定し、すべての入力特徴量に対して、当該入力特徴量と当該基準特徴量とが対応していると判定した場合に上記認証成功情報を出力するように構成されることが好適である。
【００２３】
これによれば、認証装置は、パスワード情報が表す文字列を構成する１つの文字を表す情報をユーザが入力する毎に、ユーザの開閉動作可能部位の状態が、複数の基準特徴量の１つに対応する状態に維持された場合に、認証成功情報を出力する。これにより、第三者が正当なユーザとして不当に認証される可能性をより一層低減することができる。
【００２４】
この場合、
上記基準特徴量記憶手段は、複数の基準特徴量を記憶し、
ユーザにより入力され且つ上記記憶されている複数の基準特徴量のうちの１つを表す選択情報を受け付ける選択情報受付手段を備え、
上記認証手段は、上記記憶された複数の基準特徴量のうちの上記受け付けられた選択情報が表す基準特徴量と、上記入力特徴量と、が対応しているか否かを判定するように構成されることが好適である。
【００２５】
この場合、
上記特徴量は、上記開閉動作可能部位の状態のうちの、口が開いている状態と口が閉じている状態とのいずれかの状態を表す量であることが好適である。
【００２６】
この場合、
上記特徴量は、上記開閉動作可能部位の状態のうちの、口が大きく開いている状態と口が小さく開いている状態とのいずれかの状態を表す量であることが好適である。
【００２７】
この場合、
上記特徴量は、上記開閉動作可能部位の状態のうちの、歯が見える状態と歯が見えない状態とのいずれかの状態を表す量であることが好適である。
【００２８】
また、本発明の他の形態である携帯電話装置は、
被写体を撮像することにより当該被写体が発する光に応じた画像情報を生成する撮像手段と、
上記生成された画像情報に基づいて、顔のうちの開閉動作が可能な部位である開閉動作可能部位の状態を表す特徴量を入力特徴量として抽出する特徴量抽出手段と、
上記開閉動作可能部位の状態を表す特徴量の基準値である基準特徴量を予め記憶する基準特徴量記憶手段と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を備える。
【００２９】
この場合、上記携帯電話装置は、
ユーザにより入力され且つ文字列を表すパスワード情報を入力パスワード情報として受け付けるパスワード受付手段と、
パスワード情報を基準パスワード情報として予め記憶するパスワード記憶手段と、
を備え、
上記認証手段は、上記受け付けられた入力パスワード情報と、上記記憶された基準パスワード情報と、が対応しているか否かを判定し、上記入力特徴量と上記基準特徴量とが対応していると判定し且つ当該入力パスワード情報と当該基準パスワード情報とが対応していると判定した場合に上記認証成功情報を出力するように構成されることが好適である。
【００３０】
この場合、
上記パスワード受付手段は、上記入力パスワード情報の入力が完了した旨を表す入力完了情報を受け付けるように構成され、
上記撮像手段は、上記パスワード受付手段が上記入力完了情報を受け付けた時に上記撮像の実行を開始するように構成されることが好適である。
【００３１】
また、本発明の他の形態である認証プログラムは、
記憶装置を備える認証装置に、
被写体を撮像することにより当該被写体が発する光に応じた画像情報を生成する撮像手段と、
上記生成された画像情報に基づいて、顔のうちの開閉動作が可能な部位である開閉動作可能部位の状態を表す特徴量を入力特徴量として抽出する特徴量抽出手段と、
上記開閉動作可能部位の状態を表す特徴量の基準値である基準特徴量を上記記憶装置に予め記憶させる基準特徴量記憶処理手段と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証手段と、
を実現させるためのプログラムである。
【００３２】
この場合、上記認証プログラムは、
更に、上記認証装置に、
ユーザにより入力され且つ文字列を表すパスワード情報を入力パスワード情報として受け付けるパスワード受付手段と、
パスワード情報を基準パスワード情報として上記記憶装置に予め記憶させるパスワード記憶処理手段と、
を実現させるとともに、
上記認証手段は、上記受け付けられた入力パスワード情報と、上記記憶された基準パスワード情報と、が対応しているか否かを判定し、上記入力特徴量と上記基準特徴量とが対応していると判定し且つ当該入力パスワード情報と当該基準パスワード情報とが対応していると判定した場合に上記認証成功情報を出力するように構成されることが好適である。
【００３３】
この場合、
上記パスワード受付手段は、上記入力パスワード情報の入力が完了した旨を表す入力完了情報を受け付けるように構成され、
上記撮像手段は、上記パスワード受付手段が上記入力完了情報を受け付けた時に上記撮像の実行を開始するように構成されることが好適である。
【００３４】
また、本発明の他の形態である認証方法は、
被写体を撮像することにより当該被写体が発する光に応じた画像情報を生成する撮像工程と、
上記生成された画像情報に基づいて、顔のうちの開閉動作が可能な部位である開閉動作可能部位の状態を表す特徴量を入力特徴量として抽出する特徴量抽出工程と、
上記開閉動作可能部位の状態を表す特徴量の基準値である基準特徴量を記憶装置に予め記憶させる基準特徴量記憶処理工程と、
上記抽出された入力特徴量と、上記記憶された基準特徴量と、が対応しているか否かを判定し、当該入力特徴量と当該基準特徴量とが対応していると判定した場合に認証が成功した旨を表す認証成功情報を出力し、当該入力特徴量と当該基準特徴量とが対応していないと判定した場合に認証が失敗した旨を表す認証失敗情報を出力する認証工程と、
を含む。
【００３５】
この場合、上記認証方法は、
ユーザにより入力され且つ文字列を表すパスワード情報を入力パスワード情報として受け付けるパスワード受付工程と、
パスワード情報を基準パスワード情報として上記記憶装置に予め記憶させるパスワード記憶処理工程と、
を含み、
上記認証工程は、上記受け付けられた入力パスワード情報と、上記記憶された基準パスワード情報と、が対応しているか否かを判定し、上記入力特徴量と上記基準特徴量とが対応していると判定し且つ当該入力パスワード情報と当該基準パスワード情報とが対応していると判定した場合に上記認証成功情報を出力するように構成されることが好適である。
【００３６】
この場合、
上記パスワード受付工程は、上記入力パスワード情報の入力が完了した旨を表す入力完了情報を受け付けるように構成され、
上記撮像工程は、上記パスワード受付工程にて上記入力完了情報が受け付けられた時に上記撮像の実行を開始するように構成されることが好適である。
【００３７】
上述した構成を有する、携帯電話装置、認証プログラム、又は、認証方法、の発明であっても、上記認証装置と同様の作用を有するために、上述した本発明の目的を達成することができる。
【００３８】
以下、本発明に係る、認証装置、携帯電話装置、認証プログラム、及び、認証方法、の各実施形態について図１〜図７を参照しながら説明する。
【００３９】
＜第１実施形態＞
図１に示したように、第１実施形態に係る認証装置が適用された携帯電話装置１０は、アンテナ部１１と、表示部１２と、入力部１３と、カメラ部１４と、図示しない制御部と、を備えている。
【００４０】
携帯電話装置１０は、アンテナ部１１が有するアンテナを介して図示しない基地局と通信可能に構成されている。表示部１２は、ディスプレイを有する。表示部１２は、制御部から出力された画像情報に基づいて、文字及び図形等からなる画像をディスプレイに表示させる。
【００４１】
入力部１３は、複数の入力キー（ボタン式スイッチ）を有する。携帯電話装置１０は、これらの入力キーを介して、ユーザの操作に基づく情報が入力されるように構成されている。
【００４２】
カメラ部１４は、カメラを有する。カメラは、被写体が発する光を検出し、検出した光に応じた画像情報を生成する。カメラは、光を検出可能な状態と、光を検出不能な状態と、に状態が切り替わるように構成されている。カメラ部１４は、制御部からの撮像指示に応じて、カメラの状態を、光を検出可能な状態に設定する。そして、カメラ部１４は、カメラにより生成された画像情報を出力する。即ち、カメラ部１４は、被写体を撮像することにより当該被写体が発する光に応じた画像情報を出力する。
【００４３】
制御部は、図示しないＣＰＵ（Ｃｅｎｔｒａｌ  Ｐｒｏｃｅｓｓｉｎｇ  Ｕｎｉｔ）及び記憶装置（メモリ）を備えている。携帯電話装置１０は、記憶装置に記憶されているプログラムをＣＰＵが実行することにより、後述する機能を実現するように構成されている。
【００４４】
図２は、上記のように構成された携帯電話装置１０の機能を表すブロック図である。この機能は、携帯電話装置１０のＣＰＵが後述する図４及び図５に示したフローチャートにより表されるプログラム等を実行することにより、実現される。
【００４５】
この携帯電話装置１０の機能は、パスワード記憶部（パスワード記憶手段、パスワード記憶処理手段、パスワード記憶処理工程）２１と、パスワード受付部（パスワード受付手段）２２と、基準特徴量記憶部（基準特徴量記憶手段、基準特徴量記憶処理手段、基準特徴量記憶処理工程）２３と、選択情報受付部（選択情報受付手段）２４と、認証部（認証手段）２５と、撮像部（撮像手段）２６と、特徴量抽出部（特徴量抽出手段）２７と、を含む。
【００４６】
パスワード記憶部２１は、文字列を表すパスワード情報を基準パスワード情報として記憶装置に予め記憶させている。
【００４７】
パスワード受付部２２は、ユーザが入力キーを用いて入力したパスワード情報を入力パスワード情報として受け付ける。更に、パスワード受付部２２は、ユーザが入力キーを用いて入力した入力完了情報を受け付ける。入力完了情報は、入力パスワード情報の入力が完了した旨を表す情報である。
【００４８】
基準特徴量記憶部２３は、顔のうちの開閉動作が可能な部位である開閉動作可能部位（本例では、口）の状態を表す特徴量の基準値である基準特徴量を記憶装置に予め記憶させている。なお、特徴量は、開閉動作可能部位を撮像（撮影）した画像における色相、明度及び彩度等に基づいて（即ち、その画像を表す画像情報から予め定められたアルゴリズムに従って）抽出された量である。
【００４９】
図３は、口の状態を５つの状態に分類した場合における各状態の口の画像を概念的に示した説明図である。第１の状態は、口が閉じている状態である。第２の状態は、口が小さく開いているとともに、歯が見える状態である。第３の状態は、口が小さく開いているとともに、歯が見えない状態である。第４の状態は、口が大きく開いているとともに、歯が見える状態である。第５の状態は、口が大きく開いているとともに、歯が見えない状態である。
【００５０】
本例では、特徴量は、上記５つの状態のそれぞれを他の状態と識別するための量である。即ち、特徴量は、口が開いている状態と口が閉じている状態とのいずれかの状態を表し、且つ、口が大きく開いている状態と口が小さく開いている状態とのいずれかの状態を表し、且つ、歯が見える状態と歯が見えない状態とのいずれかの状態を表す量である。従って、本例では、基準特徴量記憶部２３は、上記５つの状態のそれぞれを表す基準特徴量を記憶装置に予め記憶させている。
【００５１】
また、選択情報受付部２４は、基準特徴量記憶部２３により記憶されている複数（本例では、５つ）の基準特徴量の中から１つの基準特徴量を選択させるための画像を表す画像情報を生成し、生成した画像情報に基づく画像を表示部１２のディスプレイに表示させる。そして、選択情報受付部２４は、ユーザが入力キーを用いて入力した選択情報を受け付ける。選択情報は、基準特徴量記憶部２３により記憶されている複数の基準特徴量のうちの１つを表す情報である。
【００５２】
認証部２５は、パスワード受付部２２により受け付けられた入力パスワード情報と、パスワード記憶部２１により記憶されている基準パスワード情報と、が対応（本例では、一致）しているか否かを判定する。
【００５３】
一方、撮像部２６は、パスワード受付部２２が入力完了情報を受け付けた場合であって、認証部２５により、入力パスワード情報と基準パスワード情報とが対応していると判定された場合、カメラ部１４を用いて撮像を行うことにより画像情報を生成する。即ち、撮像部２６は、パスワード受付部２２が入力完了情報を受け付けた時に撮像の実行を開始する、と言うことができる。
【００５４】
そして、特徴量抽出部２７は、撮像部２６により生成された画像情報に基づいて、開閉動作可能部位（本例では、口）の状態を表す特徴量を入力特徴量として抽出する。
【００５５】
更に、認証部２５は、特徴量抽出部２７により抽出された入力特徴量と、選択情報受付部２４により受け付けられた選択情報が表す基準特徴量と、が対応（本例では、一致）しているか否かを判定する。
【００５６】
なお、認証部２５は、所定のアルゴリズムに従って算出される入力特徴量及び基準特徴量の一致率（両者が一致している程度を表す指標値）が所定の閾値よりも高い場合に、入力特徴量と基準特徴量とが対応していると判定するように構成されていてもよい。
【００５７】
そして、認証部２５は、入力パスワード情報と基準パスワード情報とが対応していると判定し、且つ、入力特徴量と基準特徴量とが対応していると判定した場合、認証成功情報を出力する。認証成功情報は、認証が成功した旨を表す情報である。
【００５８】
一方、認証部２５は、入力パスワード情報と基準パスワード情報とが対応していないと判定した場合、及び／又は、入力特徴量と基準特徴量とが対応していないと判定した場合、認証失敗情報を出力する。認証失敗情報は、認証が失敗した旨を表す情報である。
【００５９】
また、携帯電話装置１０は、携帯電話装置１０の少なくとも一部の機能（本例では、通話するための機能）を利用不能な状態（ロックした状態）と、当該機能を利用可能な状態（ロックを解除した状態）と、のいずれかの状態に状態を設定可能に構成されている。携帯電話装置１０は、認証部２５により認証成功情報が出力された場合、携帯電話装置１０の状態を、ロックを解除した状態に設定する。一方、携帯電話装置１０は、認証部２５により認証失敗情報が出力された場合、携帯電話装置１０の状態を、ロックした状態に設定する。
【００６０】
次に、上述した携帯電話装置１０の作動について具体的に述べる。
先ず、ユーザが、複数の基準特徴量の中から１つを選択し、選択した基準特徴量を表す選択情報を入力することにより、携帯電話装置１０がその選択情報を記憶する際の作動について説明する。
【００６１】
携帯電話装置１０のＣＰＵは、図４にフローチャートにより示した基準特徴量選択プログラムを、ユーザにより入力された実行指示に応じて実行するようになっている。
【００６２】
具体的に述べると、ＣＰＵは、基準特徴量選択プログラムの処理を開始すると、パスワード情報を入力させるための画像を表示部１２のディスプレイに表示させる。これにより、ユーザは、入力キーを用いて、各入力キーに対応付けられた入力情報を複数入力することにより、パスワード情報を入力する。
【００６３】
そして、ＣＰＵは、ステップ４０５にて、ユーザにより入力された入力情報を受け付ける。次いで、ＣＰＵは、ステップ４１０にて、上記受け付けた入力情報が入力完了情報である（即ち、入力完了情報を受け付けた）か否かを判定する。
【００６４】
この時点では、入力情報はパスワード情報の一部である。従って、入力情報は入力完了情報でない。従って、ＣＰＵは、ステップ４１０にて「Ｎｏ」と判定してステップ４０５へ戻り、ステップ４０５の処理を繰り返し実行する。
【００６５】
その後、パスワード情報の入力が完了すると、ユーザは、入力完了情報を入力する。これにより、ＣＰＵは、ステップ４１０にて「Ｙｅｓ」と判定してステップ４１５に進む。更に、ＣＰＵは、入力完了情報を受け付けるまでに受け付けた入力情報を入力パスワード情報として受け付ける。
【００６６】
そして、ＣＰＵは、ステップ４１５にて、受け付けた入力パスワード情報と、記憶装置に記憶されている基準パスワード情報と、が対応しているか否かを判定する。入力パスワード情報と基準パスワード情報とが対応していない場合、ＣＰＵは、ステップ４１５にて「Ｎｏ」と判定してステップ４０５〜ステップ４１０の処理を繰り返し実行する。即ち、ユーザは再びパスワード情報を入力する。
【００６７】
一方、入力パスワード情報と基準パスワード情報とが対応している場合、ＣＰＵは、ステップ４１５にて「Ｙｅｓ」と判定してステップ４２０に進む。そして、ＣＰＵは、記憶されている複数の基準特徴量の中から１つの基準特徴量を選択させるための画像を表示部１２のディスプレイに表示させる。そして、ＣＰＵは、選択情報を受け付けるまで待機する。
【００６８】
一方、ユーザは、複数の基準特徴量の中から１つを選択し、選択した基準特徴量を表す選択情報を入力する。本例では、ユーザが、口が小さく開いているとともに、歯が見えない状態（第３の状態）を表す基準特徴量を選択した場合を想定して説明を続ける。
【００６９】
これにより、携帯電話装置１０は、選択情報を受け付ける。従って、ＣＰＵは、ステップ４２０にて、「Ｙｅｓ」と判定してステップ４２５へ進む。
【００７０】
そして、ＣＰＵは、カメラ部１４へ撮像指示を送る。これにより、カメラ部１４は、撮像を行うことにより画像情報を生成する。
次いで、ＣＰＵは、ステップ４３０にて、カメラ部１４により生成された画像情報から特徴量を入力特徴量として抽出（画像情報に基づいて入力特徴量を算出）する。
【００７１】
そして、ＣＰＵは、ステップ４３５にて、上記ステップ４３０にて抽出された入力特徴量と、上記ステップ４２０にて受け付けた選択情報が表す基準特徴量と、が対応しているか否かを判定する。
【００７２】
いま、上記ステップ４２５にてカメラ部１４が撮像を行った時に、ユーザが、口の状態を、口が小さく開いているとともに、歯が見えない状態（第３の状態）に維持していた場合を想定して説明を続ける。
【００７３】
この場合、入力特徴量と基準特徴量とが対応している。従って、ＣＰＵは、ステップ４３５にて「Ｙｅｓ」と判定してステップ４４０に進み、上記受け付けた選択情報を記憶装置に記憶させる。そして、ＣＰＵは、この基準特徴量選択プログラムの実行を終了する。
【００７４】
なお、上記ステップ４２５にてカメラ部１４が撮像を行った時に、ユーザが、口の状態を、第３の状態以外の状態に維持していた場合には、入力特徴量と基準特徴量とが対応していないので、ＣＰＵは、ステップ４３５にて「Ｎｏ」と判定してステップ４２０に戻り、ステップ４２０〜ステップ４３５の処理を繰り返し実行する。
【００７５】
次に、携帯電話装置１０が認証処理を行う際の作動について説明する。
携帯電話装置１０のＣＰＵは、図５にフローチャートにより示した認証処理プログラム（認証プログラム）を、ユーザにより入力された実行指示に応じて実行するようになっている。
【００７６】
具体的に述べると、ＣＰＵは、認証処理プログラムの処理を開始すると、パスワード情報を入力させるための画像を表示部１２のディスプレイに表示させる。これにより、ユーザは、入力キーを用いて、各入力キーに対応付けられた入力情報を複数入力することにより、パスワード情報を入力する。
【００７７】
そして、ＣＰＵは、ステップ５０５にて、ユーザにより入力された入力情報を受け付ける。次いで、ＣＰＵは、ステップ５１０にて、上記受け付けた入力情報が入力完了情報である（即ち、入力完了情報を受け付けた）か否かを判定する。
【００７８】
この時点では、入力情報はパスワード情報の一部である。従って、入力情報は入力完了情報でない。従って、ＣＰＵは、ステップ５１０にて「Ｎｏ」と判定してステップ５０５へ戻り、ステップ５０５の処理を繰り返し実行する。
【００７９】
その後、パスワード情報の入力が完了すると、ユーザは、入力完了情報を入力する。これにより、ＣＰＵは、ステップ５１０にて「Ｙｅｓ」と判定してステップ５１５に進む。更に、ＣＰＵは、入力完了情報を受け付けるまでに受け付けた入力情報を入力パスワード情報として受け付ける（パスワード受付工程）。
【００８０】
そして、ＣＰＵは、ステップ５１５にて、受け付けた入力パスワード情報と、記憶装置に記憶されている基準パスワード情報と、が対応しているか否かを判定する（認証工程の一部）。入力パスワード情報と基準パスワード情報とが対応していない場合、ＣＰＵは、ステップ５１５にて「Ｎｏ」と判定してステップ５２０に進み、認証失敗情報を出力する（認証工程の一部）。これにより、携帯電話装置１０は、携帯電話装置１０の状態を、ロックした状態に設定する。そして、ＣＰＵは、この認証処理プログラムの実行を終了する。
【００８１】
一方、入力パスワード情報と基準パスワード情報とが対応している場合、ＣＰＵは、ステップ５１５にて「Ｙｅｓ」と判定してステップ５２５に進み、カメラ部１４へ撮像指示を送る。これにより、カメラ部１４は、撮像を行うことにより画像情報を生成する（撮像工程）。即ち、カメラ部１４は、ＣＰＵが入力完了情報を受け付けた時に撮像の実行を開始する、と言うことができる。
【００８２】
次いで、ＣＰＵは、ステップ５３０にて、カメラ部１４により生成された画像情報から特徴量を入力特徴量として抽出する（特徴量抽出工程）。
そして、ＣＰＵは、ステップ５３５にて、上記ステップ５３０にて抽出された入力特徴量と、記憶されている選択情報が表す基準特徴量と、が対応しているか否かを判定する（認証工程の一部）。
【００８３】
いま、上記ステップ５２５にてカメラ部１４が撮像を行った時に、ユーザが、口の状態を、口が小さく開いているとともに、歯が見えない状態（第３の状態）に維持していた場合を想定して説明を続ける。
【００８４】
この場合、入力特徴量と基準特徴量とが対応している。従って、ＣＰＵは、ステップ５３５にて「Ｙｅｓ」と判定してステップ５４０に進み、認証成功情報を出力する（認証工程の一部）。これにより、携帯電話装置１０は、携帯電話装置１０の状態を、ロックを解除した状態に設定する。そして、ＣＰＵは、この認証処理プログラムの実行を終了する。
【００８５】
なお、上記ステップ５２５にてカメラ部１４が撮像を行った時に、ユーザが、口の状態を、第３の状態以外の状態に維持していた場合には、入力特徴量と基準特徴量とが対応していないので、ＣＰＵは、ステップ５３５にて「Ｎｏ」と判定してステップ５２０に進み、認証失敗情報を出力する（認証工程の一部）。これにより、携帯電話装置１０は、携帯電話装置１０の状態を、ロックした状態に設定する。そして、ＣＰＵは、この認証処理プログラムの実行を終了する。
【００８６】
以上、説明したように、本発明に係る携帯電話装置（認証装置）の第１実施形態によれば、携帯電話装置１０は、ユーザが、開閉動作可能部位としての口の状態を、予め記憶されている基準特徴量に対応する状態に維持している場合に撮像を行ったとき、認証成功情報を出力する。一方、携帯電話装置１０は、ユーザが、口の状態を、予め記憶されている基準特徴量に対応する状態に維持していない場合に撮像を行ったとき、認証失敗情報を出力する。
【００８７】
ところで、ユーザの背後からユーザの口の状態を見ることはできない。即ち、第１実施形態によれば、ユーザが入力している情報、即ち、ユーザの口の状態を、そのユーザの背後から第三者により盗み見られる可能性を低くすることができる。
【００８８】
また、第１実施形態によれば、複数のユーザのそれぞれが、口の状態を基準特徴量に対応する状態に維持することにより、携帯電話装置１０は、複数のユーザのそれぞれを正当なユーザとして認証することができる。
【００８９】
このように、第１実施形態によれば、ユーザが入力している情報をそのユーザの背後から第三者により盗み見られる可能性を低くすることができ、且つ、複数のユーザのそれぞれが正当なユーザとして認証されることができる。
【００９０】
更に、第１実施形態によれば、携帯電話装置１０は、ユーザの口の状態が基準特徴量に対応する状態に維持され、且つ、基準パスワード情報に対応する入力パスワード情報が入力された場合に、認証成功情報を出力する。これにより、第三者が正当なユーザとして不当に認証される可能性を低減することができる。
【００９１】
加えて、第１実施形態によれば、ユーザが入力完了情報を入力することにより、携帯電話装置１０は、撮像の実行を開始する。従って、ユーザは、携帯電話装置１０に撮像の実行を開始させるために、入力完了情報を入力する操作以外の操作を行うことなく、携帯電話装置１０に撮像を実行させることができる。即ち、ユーザの手間を軽減することができる。
【００９２】
なお、第１実施形態においては、携帯電話装置１０は、複数の基準特徴量を記憶装置に記憶させるように構成されていたが、１つの基準特徴量のみを記憶装置に記憶させるように構成されていてもよい。この場合、携帯電話装置１０の機能は、図６に示したように、選択情報受付部２４を含まないことが好適である。
【００９３】
また、第１実施形態においては、携帯電話装置１０は、開閉動作可能部位の状態を表す特徴量と、パスワード情報と、の両方に基づいて認証処理を行うように構成されていたが、開閉動作可能部位の状態を表す特徴量のみに基づいて認証処理を行うように構成されていてもよい。この場合、携帯電話装置１０の機能は、パスワード記憶部２１及びパスワード受付部２２を含まないことが好適である。
【００９４】
更に、第１実施形態の変形例において、携帯電話装置１０は、１つの基準特徴量のみを記憶装置に記憶させるとともに、開閉動作可能部位の状態を表す特徴量のみに基づいて認証処理を行うように構成されていてもよい。この場合、携帯電話装置１０の機能は、図７に示したように、パスワード記憶部２１、パスワード受付部２２及び選択情報受付部２４を含まないことが好適である。
【００９５】
また、第１実施形態において、携帯電話装置１０は、パスワード情報に基づく認証処理を行った後に、特徴量に基づく認証処理を行うように構成されていたが、特徴量に基づく認証処理を行った後に、パスワード情報に基づく認証処理を行うように構成されていてもよい。
【００９６】
＜第２実施形態＞
次に、本発明の第２実施形態に係る携帯電話装置について説明する。第２実施形態に係る携帯電話装置は、上記第１実施形態に係る携帯電話装置に対して、１つの文字を表す情報を受け付ける毎に撮像を実行する点において相違している。従って、以下、かかる相違点を中心として説明する。
【００９７】
第２実施形態に係る携帯電話装置１０の機能である撮像部２６は、パスワード受付部２２が１つの文字を表す情報（入力情報）を受け付ける毎に撮像を実行する。
【００９８】
更に、基準特徴量記憶部２３は、複数の基準特徴量を、順序を表す情報である順序情報と対応付けて記憶装置に記憶させている。
【００９９】
また、認証部２５は、撮像部２６により撮像が実行される毎に、基準特徴量記憶部２３により記憶されている基準特徴量の中から、基準特徴量と対応付けられた順序情報が表す順序に従って１つずつ基準特徴量を取得する。
【０１００】
そして、認証部２５は、撮像部２６により撮像が実行される毎に、取得した基準特徴量と、入力特徴量と、が対応しているか否かを判定する。認証部２５は、すべての入力特徴量に対して、入力特徴量と基準特徴量とが対応していると判定した場合、認証成功情報を出力する。一方、認証部２５は、いずれか１つの入力特徴量に対して、入力特徴量と基準特徴量とが対応していないと判定した場合、認証失敗情報を出力する。
【０１０１】
このように構成された携帯電話装置１０によれば、携帯電話装置１０は、パスワード情報が表す文字列を構成する１つの文字を表す情報をユーザが入力する毎に、ユーザの口の状態が、予め設定された基準特徴量に対応する状態に維持された場合に、認証成功情報を出力する。これにより、第三者が正当なユーザとして不当に認証される可能性をより一層低減することができる。
【０１０２】
なお、本発明は上記各実施形態に限定されることはなく、本発明の範囲内において種々の変形例を採用することができる。例えば、上記各実施形態においては、開閉動作可能部位は、口であったが、口以外の部位（例えば、目）であってもよい。
【産業上の利用可能性】
【０１０３】
本発明は、ユーザが正当なユーザであることを認証するための処理を行う認証システム等に適用可能である。
【図面の簡単な説明】
【０１０４】
【図１】本発明の第１実施形態に係る携帯電話装置の概略構成を表す図である。
【図２】図１に示した携帯電話装置の機能の概略を表すブロック図である。
【図３】口の状態を５つの状態に分類した場合における各状態の口の画像を概念的に示した説明図である。
【図４】図１に示した携帯電話装置のＣＰＵが実行する基準特徴量選択プログラムを示したフローチャートである。
【図５】図１に示した携帯電話装置のＣＰＵが実行する認証処理プログラムを示したフローチャートである。
【図６】本発明の第１実施形態の変形例に係る携帯電話装置の機能の概略を表すブロック図である。
【図７】本発明の第１実施形態の変形例に係る携帯電話装置の機能の概略を表すブロック図である。
【符号の説明】
【０１０５】
１０    携帯電話装置
１１    アンテナ部
１２    表示部
１３    入力部
１４    カメラ部
２１    パスワード記憶部
２２    パスワード受付部
２３    基準特徴量記憶部
２４    選択情報受付部
２５    認証部
２６    撮像部
２７    特徴量抽出部
【図１】
2010015352.tif 000003
【図２】
2010015352.tif 000004
【図３】
2010015352.tif 000005
【図４】
2010015352.tif 000006
【図５】
2010015352.tif 000007
【図６】
2010015352.tif 000008
【図７】
2010015352.tif 000009